【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
ネットワーク装置においてモバイルＩＰレジストレーションリクエストを複数のホームエージェントの１つに分配する方法であって、
モバイルノードがローミングしたフォーリンエージェントからレジストレーションリクエストを受信する段階と、
複数のホームエージェントの１つを選択する段階と、
前記レジストレーションリクエストを前記複数のホームエージェントのうちの前記選択された１つに送信する段階と、
を含み、
前記レジストレーションリクエストのソースＩＰアドレスは、前記モバイルノードがローミングしたフォーリンエージェントのＩＰアドレスであり、それによって前記複数のホームエージェントの前記選択された１つは、ネットワーク装置による代行受信なしにモバイルＩＰレジストレーションリプライを直接該フォーリンエージェントに送信することが可能になり、前記ネットワーク装置は前記複数のホームエージェントの内の１つではない、
ことを特徴とする方法。
【請求項２】
前記ネットワーク装置は、前記モバイルノードによって送られた又は該モバイルノードに送られたデータパケットを代行受信しないことを特徴とする請求項１に記載の方法。
【請求項３】
前記選択されたホームエージェントに前記モバイルノードによって送られた次のレジストレーションリクエストは、前記ネットワーク装置によって代行受信されないことを特徴とする請求項１に記載の方法。
【請求項４】
前記ネットワーク装置は、スイッチ又はルータであることを特徴とする請求項１に記載の方法。
【請求項５】
前記ネットワーク装置は、前記レジストレーションリクエストに付随するバインディング情報を記憶しないことを特徴とする請求項１に記載の方法。
【請求項６】
前記レジストレーションリクエストの宛先ＩＰアドレスは、前記ネットワーク装置のＩＰアドレスであり、
前記複数のホームエージェントは、前記ネットワーク装置の前記ＩＰアドレスによって設定される、
ことを更に含む請求項１に記載の方法。
【請求項７】
前記レジストレーションリクエストの宛先ＭＡＣアドレスを、該宛先ＭＡＣアドレスが前記選択されたホームエージェントに付随するＭＡＣアドレスになるように修正する段階、
を更に含み、
前記複数のホームエージェント及び前記ネットワーク装置は、第２層近接である、
ことを特徴とする請求項６に記載の方法。
【請求項８】
サーバロードバランシングプロトコルをディスパッチモードで使用して実行されることを特徴とする請求項７に記載の方法。
【請求項９】
前記レジストレーションリクエストの前記宛先ＩＰアドレスを、該宛先ＩＰアドレスが前記複数のホームエージェントの前記選択された１つのＩＰアドレスになるように修正する段階、
を更に含むことを特徴とする請求項１に記載の方法。
【請求項１０】
前記レジストレーションリクエストの宛先ＭＡＣアドレスは、前記ネットワーク装置によって修正されないことを特徴とする請求項９に記載の方法。
【請求項１１】
サーバロードバランシングプロトコルをダイレクテッドモードで使用して実行されることを特徴とする請求項１０に記載の方法。
【請求項１２】
前記レジストレーションリクエストのホームエージェントアドレスは、１つのホームエージェントが前記ネットワーク装置によって割り当てられることを示すことを特徴とする請求項１に記載の方法。
【請求項１３】
前記レジストレーションリクエストの前記ホームエージェントアドレスは、ゼロであることを特徴とする請求項１２に記載の方法。
【請求項１４】
前記レジストレーションリクエストの宛先ＩＰアドレスは、仮想ＩＰアドレスであることを特徴とする請求項１に記載の方法。
【請求項１５】
前記仮想ＩＰアドレスは、前記ネットワーク装置と、請求項１に記載の方法を実行するようになった１つ又はそれ以上の付加的なネットワーク装置とに付随することを特徴とする請求項１４に記載の方法。
【請求項１６】
前記ネットワーク装置及び前記１つ又はそれ以上の付加的なネットワーク装置は、各々、ルーティング冗長性プロトコルによって設定されることを特徴とする請求項１５に記載の方法。
【請求項１７】
前記ルーティング冗長性プロトコルは、ＨＳＲＰ又はＶＲＲＰであることを特徴とする請求項１６に記載の方法。
【請求項１８】
前記ネットワーク装置は、前記複数のホームエージェントのＩＰアドレスによって設定されることを特徴とする請求項１に記載の方法。
【請求項１９】
前記複数のホームエージェントのＩＰアドレスを取得する段階、
を更に含むことを特徴とする請求項１に記載の方法。
【請求項２０】
前記複数のホームエージェントのＩＰアドレスを取得する段階は、ディスカバリプロトコルを使用して実行されることを特徴とする請求項１９に記載の方法。
【請求項２１】
前記複数のホームエージェントの１つを選択する段階は、
前記複数のホームエージェントの１つを、該複数のホームエージェントの健全性、負荷条件、及び利用可能性のうちの少なくとも１つを示す情報に従って選択する段階、
を含むことを特徴とする請求項１に記載の方法。
【請求項２２】
前記複数のホームエージェントの健全性、負荷条件、及び利用可能性のうちの少なくとも１つをモニタする段階、
を更に含むことを特徴とする請求項２１に記載の方法。
【請求項２３】
モニタする段階は、シスコディスカバリプロトコル又はダイナミックフィードバックプロトコルを使用して実行されることを特徴とする請求項２２に記載の方法。
【請求項２４】
前記モバイルノードに付随する一時的バインディングを記憶する段階、
を更に含み、
前記一時的バインディングは、モバイルノード識別子、前記選択されたホームエージェントのアドレス、及び該一時的バインディングが維持されることになる期間を含む、
ことを特徴とする請求項１に記載の方法。
【請求項２５】
前記期間が満了した時に前記一時的バインディングを削除する段階、
を更に含むことを特徴とする請求項２４に記載の方法。
【請求項２６】
前記期間が満了する前に再レジストレーションリクエストを受信した場合は、前記一時的バインディング内の該期間を更新する段階、
を更に含むことを特徴とする請求項２４に記載の方法。
【請求項２７】
１つ又はそれ以上のモバイルノードに対する前記一時的バインディングを１つ又はそれ以上のバックアップネットワーク装置に送信する段階、
を更に含むことを特徴とする請求項２４に記載の方法。
【請求項２８】
前記モバイルノードから受信した次のレジストレーションリクエストを、該次のレジストレーションリクエストが前記一時的バインディングに指定された前記期間中に受信された場合は、前記選択されたホームエージェントの前記アドレスに送信する段階、
を更に含むことを特徴とする請求項２４に記載の方法。
【請求項２９】
前記モバイルノードからのレジストレーションリクエストが前記選択されたホームエージェントに関して保留中であるか否かを判断する段階と、
前記モバイルノードからのレジストレーションリクエストが前記選択されたホームエージェントに関して保留中ではないと判断された時は、該レジストレーションリクエストを該選択されたホームエージェントに送信する段階と、
を更に含むことを特徴とする請求項１に記載の方法。
【請求項３０】
前記レジストレーションリクエストの前記ソースＩＰアドレスを前記フォーリンエージェントのソースＩＰアドレスとして保持し、それによって該レジストレーションリクエストを受信する前記選択されたホームエージェントがレジストレーションリプライを該フォーリンエージェントに送信することを可能にする段階、
を更に含むことを特徴とする請求項２９に記載の方法。
【請求項３１】
モバイルＩＰレジストレーションリクエストを複数のホームエージェントの１つに分配するためのネットワーク装置であって、
モバイルノードがローミングしたフォーリンエージェントからレジストレーションリクエストを受信するための手段と、
複数のホームエージェントの１つを選択するための手段と、
前記レジストレーションリクエストを前記複数のホームエージェントのうちの前記選択された１つに送信するための手段と、
を含み、
前記レジストレーションリクエストのソースＩＰアドレスは、前記モバイルノードがローミングしたフォーリンエージェントのＩＰアドレスであり、それによって前記複数のホームエージェントの前記選択された１つは、ネットワーク装置による代行受信なしにモバイルＩＰレジストレーションリプライを直接該フォーリンエージェントに送信することが可能になり、前記ネットワーク装置は前記複数のホームエージェントの内の１つではない、
ことを特徴とする装置。
【請求項３２】
モバイルＩＰレジストレーションリクエストを複数のホームエージェントの１つに分配するためのネットワーク装置であって、
プロセッサと、
メモリと、
を含み、
前記プロセッサ及び前記メモリの少なくとも一方は、
モバイルノードがローミングしたフォーリンエージェントからレジストレーションリクエストを受信し、
複数のホームエージェントの１つを選択し、
前記レジストレーションリクエストを前記複数のホームエージェントの前記選択された１つに送信する、
ようになっており、
前記レジストレーションリクエストのソースＩＰアドレスは、前記モバイルノードがローミングしたフォーリンエージェントのＩＰアドレスであり、それによって前記複数のホームエージェントの前記選択された１つは、ネットワーク装置による代行受信なしにモバイルＩＰレジストレーションリプライを直接該フォーリンエージェントに送信することが可能になり、前記ネットワーク装置は前記複数のホームエージェントの内の１つではない、
ことを特徴とする装置。
【請求項３３】
モバイルＩＰレジストレーションリクエストをネットワーク装置によって複数のホームエージェントの１つに分配するためのコンピュータ可読命令を記憶するコンピュータ可読メディアであって、
モバイルノードがローミングしたフォーリンエージェントからレジストレーションリクエストを受信するための命令と、
複数のホームエージェントの１つを選択するための命令と、
前記レジストレーションリクエストを前記複数のホームエージェントのうちの前記選択された１つに送信するための命令と、
を含み、
前記レジストレーションリクエストのソースＩＰアドレスは、前記モバイルノードがローミングしたフォーリンエージェントのＩＰアドレスであり、それによって前記複数のホームエージェントの前記選択された１つは、ネットワーク装置による代行受信なしにモバイルＩＰレジストレーションリプライを直接該フォーリンエージェントに送信することが可能になり、前記ネットワーク装置は前記複数のホームエージェントの内の１つではない、
ことを特徴とするメディア。